(57)【要約】      （修正有）【課題】従来の鉄骨造・鉄筋コンクリート造に比しコスト安に建設でき、しかも、使用者の規模に応じた最適な容量に容易、安価に設定できるコスト性、環境性に秀れた実用的な保冷貯蔵庫を提供する。【解決手段】断面視略逆Ｕ字状のアーチ状管材１を複数並設状態に配設し、アーチ状管材の並設方向と同方向に延びる連結用管材２でこのアーチ状管材を夫々連結して骨組みを形成し、骨組みが所定量の積雪に耐えるようにアーチ状管材の径、並設間隔を設定し、管材で形成した骨組みで囲繞される貯蔵空間部３に雪や農作物等の貯蔵物を貯蔵するように構成し、貯蔵空間部内の貯蔵物を保冷する所定量の雪から成る保冷部４を貯蔵空間部若しくはその外部に設け、保冷部で保冷される貯蔵空間部と外気を断熱する断熱層５を保冷部が内側、断熱層が外側となるように貯蔵空間部若しくはその外部に設け、貯蔵空間部が所定の冷蔵温度を保つように断熱層の厚さを設定した。【選択図】図２
2005233530.tif 000002
【特許請求の範囲】
【請求項１】
断面視略逆Ｕ字状のアーチ状管材を複数並設状態に配設すると共に、このアーチ状管材の並設方向と同方向に延びる連結用管材によりこのアーチ状管材を夫々連結することで骨組みを形成し、この骨組みが所定量の積雪に耐え得るように前記アーチ状管材の径及び並設間隔を設定し、この管材で形成した骨組みで囲繞される貯蔵空間部に雪や農作物等の貯蔵物を貯蔵し得るように構成し、この貯蔵空間部内の貯蔵物を保冷する所定量の雪から成る保冷部をこの貯蔵空間部若しくはその外部に設け、この保冷部により保冷される前記貯蔵物を貯蔵する貯蔵空間部と外気とを断熱する断熱層を、前記保冷部が内側、断熱層が外側となるように前記貯蔵空間部若しくはその外部に設け、前記貯蔵空間部が所定の冷蔵温度に保たれるようにこの断熱層の厚さを設定したことを特徴とする保冷貯蔵庫。
【請求項２】
前記断熱層として、木材チップやモミガラ等の廃材を所定厚積層して形成される断熱層を採用したことを特徴とする請求項１記載の保冷貯蔵庫。
【請求項３】
前記アーチ状管材若しくは連結用管材の空洞部に適宜な充填剤を充填したことを特徴とする請求項１，２のいずれか１項に記載の保冷貯蔵庫。
【請求項４】
前記貯蔵空間部は、雪を貯蔵する雪貯蔵部と、農作物を貯蔵する農作物貯蔵部とから成り、前記雪貯蔵部に貯蔵した雪が前記農作物貯蔵部に貯蔵した農作物に対する保冷部となるように設定したことを特徴とする請求項１〜３のいずれか１項に記載の保冷貯蔵庫。
【請求項５】
前記貯蔵空間部に前記農作物が埋設される保冷部を形成したことを特徴とする請求項１〜３のいずれか１項に記載の保冷貯蔵庫。
【請求項６】
前記アーチ状管材を増設若しくは減設自在に配設したことを特徴とする請求項１〜５のいずれか１項に記載の保冷貯蔵庫。
【請求項７】
前記前記貯蔵空間部の外部に、前記保冷部及び前記断熱層を夫々前記骨組みを略覆うように順次積層状態に設けたことを特徴とする請求項１〜６のいずれか１項に記載の保冷貯蔵庫。
【発明の詳細な説明】
【技術分野】
【０００１】
本発明は、保冷貯蔵庫に関するものである。
【背景技術】
【０００２】
雪を冷熱源として雪や農作物を保冷貯蔵する保冷貯蔵庫は、積雪を利用することで地球温暖化の原因となる二酸化炭素の排出を抑制しつつ、安いランニングコストで良好に雪や農作物を保冷貯蔵できるため近年注目されている。
【０００３】
ところで、従来の雪を冷熱源とする保冷貯蔵庫は、一般的に降雪による荷重に耐えられるようにその構造は鉄骨造若しくは鉄筋コンクリート造で、通常の倉庫と同程度の建設費が必要であり、更に、保温性を持たせるための工事が別途必要であるため、建設費が高くなってしまうことは避けられない。
【０００４】
また、鉄骨造や鉄筋コンクリート造の保冷貯蔵庫では、増設・増築が厄介で貯蔵量の変化に柔軟に対応できないという問題もある。
【０００５】
即ち、この雪を冷熱源とする保冷貯蔵庫は、確かに自然エネルギーである雪を冷熱源として利用することでランニングコストは安く済むが、通常の倉庫と同等若しくはそれ以上の高い建設費が必要であり、加えて、一旦建設すると容量を貯蔵量に合わせて変更することが容易でないことからまだまだ普及していないのが現状である。
【発明の開示】
【発明が解決しようとする課題】
【０００６】
本発明は、上述のような現状に鑑み、安価な管材を用いて強固な骨組みを形成することで、従来の鉄骨造・鉄筋コンクリート造のものに比しコスト安に建設でき、しかも、個人，農業法人，企業等、使用者の規模に応じた最適な容量に容易且つ安価に設定できるコスト性及び環境性に秀れた極めて実用的な保冷貯蔵庫を提供することを課題としている。
【課題を解決するための手段】
【０００７】
添付図面を参照して本発明の要旨を説明する。
【０００８】
断面視略逆Ｕ字状のアーチ状管材１を複数並設状態に配設すると共に、このアーチ状管材１の並設方向と同方向に延びる連結用管材２によりこのアーチ状管材１を夫々連結することで骨組みを形成し、この骨組みが所定量の積雪に耐え得るように前記アーチ状管材１の径及び並設間隔を設定し、この管材で形成した骨組みで囲繞される貯蔵空間部３に雪や農作物等の貯蔵物を貯蔵し得るように構成し、この貯蔵空間部３内の貯蔵物を保冷する所定量の雪から成る保冷部４をこの貯蔵空間部３若しくはその外部に設け、この保冷部４により保冷される前記貯蔵物を貯蔵する貯蔵空間部３と外気とを断熱する断熱層５を、前記保冷部４が内側、断熱層５が外側となるように前記貯蔵空間部３若しくはその外部に設け、前記貯蔵空間部３が所定の冷蔵温度に保たれるようにこの断熱層５の厚さを設定したことを特徴とする保冷貯蔵庫に係るものである。
【０００９】
また、前記断熱層５として、木材チップやモミガラ等の廃材を所定厚積層して形成される断熱層５を採用したことを特徴とする請求項１記載の保冷貯蔵庫に係るものである。
【００１０】
また、前記アーチ状管材１若しくは連結用管材２の空洞部に適宜な充填剤を充填したことを特徴とする請求項１，２のいずれか１項に記載の保冷貯蔵庫に係るものである。
【００１１】
また、前記貯蔵空間部３は、雪を貯蔵する雪貯蔵部３ａと、農作物を貯蔵する農作物貯蔵部３ｂとから成り、前記雪貯蔵部３ａに貯蔵した雪が前記農作物貯蔵部３ｂに貯蔵した農作物に対する保冷部４となるように設定したことを特徴とする請求項１〜３のいずれか１項に記載の保冷貯蔵庫に係るものである。
【００１２】
また、前記貯蔵空間部３に前記農作物が埋設される保冷部４を形成したことを特徴とする請求項１〜３のいずれか１項に記載の保冷貯蔵庫に係るものである。
【００１３】
また、前記アーチ状管材１を増設若しくは減設自在に配設したことを特徴とする請求項１〜５のいずれか１項に記載の保冷貯蔵庫に係るものである。
【００１４】
また、前記前記貯蔵空間部３の外部に、前記保冷部４及び前記断熱層５を夫々前記骨組みを略覆うように順次積層状態に設けたことを特徴とする請求項１〜６のいずれか１項に記載の保冷貯蔵庫に係るものである。
【発明の効果】
【００１５】
本発明は上述のように構成したから、従来の鉄骨造・鉄筋コンクリート造のものに比しコスト安に建設でき、しかも、個人，農業法人，企業等、使用者の規模に応じた最適な容量に容易且つ安価に設定できるコスト性及び環境性に秀れた極めて実用的な保冷貯蔵庫となる。
【００１６】
また、請求項２記載の発明においては、廃材を二次利用することでより一層環境性に秀れ実用的なものとなる。
【００１７】
また、請求項３記載の発明においては、容易且つコスト安に強度を一層高めることができる一層実用的なものとなる。
【００１８】
また、請求項４〜７記載の発明においては、本発明を一層容易に実現できるより一層実用的なものとなる。
【発明を実施するための最良の形態】
【００１９】
好適と考える本発明の実施形態（発明をどのように実施するか）を、図面に基づいて本発明の作用を示して簡単に説明する。
【００２０】
アーチ状管材１を所定間隔で複数並設状態に配設して骨組みを形成する際、このアーチ状管材１の径及び並設間隔を保冷貯蔵庫を建設する地域の降雪量等を考慮して最適な値に設定することで、効率良く荷重を支承できるアーチ状管材１の強度を更に高めて積雪等の外圧により変形・倒壊等しない強度の骨組みを実現できる。
【００２１】
即ち、安価な管材の組み合わせによって強固な骨組みを形成でき、仮に降雪量の多い地域に建設する場合であっても、このアーチ状管材１の径及び並設間隔を適宜設定するだけで対応できるから、従来の鉄骨造や鉄筋コンクリート造の保冷貯蔵庫に比し、コスト安に建設できることになる。
【００２２】
しかも、アーチ状管材１を複数並設して形成するため周壁が半円筒形状となり、上述のように強度に秀れた構成であると共に、貯蔵空間部３を十分な容量に設定しつつ、この貯蔵空間部３と外気との接触面積を可及的に小さくでき、効率良く貯蔵物を保冷貯蔵できることになる。
【００２３】
加えて、保冷部４と外気とを断熱する断熱層５の厚さを所定の厚さに設定することで、貯蔵物を一層良好に所定の冷蔵温度で保冷貯蔵することができる。
【００２４】
従って、従来は積雪や強風に対する強度を得るため、また、好適な断熱性能を得るために鉄骨造や鉄筋コンクリート造等、通常の倉庫と同様の構造にせざるを得ず、初期建設費用が高額にならざるを得なかったが、本発明によれば、安価な管材を用いて強固で且つ断熱性に秀れた構成を実現でき、施工をそれだけコスト安に行えることになる。
【００２５】
また、例えば、断熱層５を木材チップやモミガラ等の廃材を所定厚積層することで形成した場合には、一層コスト安となると共に、資源の再利用を促進することができ、一層環境性に秀れたものとなる。
【００２６】
また、例えば、前記アーチ状管材１若しくは連結用管材２の空洞部に適宜な充填剤を充填した場合には、これら管材の強度を容易且つコスト安に向上させることができることになる。
【００２７】
また、アーチ状管材１の並設数を変更するだけで増設・増築が可能であるから、貯蔵量の変化に対応して適宜大きさを変更することができ、極めて汎用性に秀れたものとなる。
【００２８】
従って、本発明は、従来の鉄骨造・鉄筋コンクリート造のものに比しコスト安に建設でき、しかも、個人，農業法人，企業等、使用者の規模に応じた最適な容量に容易且つ安価に設定できるコスト性及び環境性に秀れた極めて実用的な保冷貯蔵庫となる。
【実施例】
【００２９】
本発明の具体的な実施例について図面に基づいて説明する。
【００３０】
本実施例は、図１，２に図示したように断面視略逆Ｕ字状のアーチ状管材１を複数並設状態に配設すると共に、このアーチ状管材１の並設方向と同方向に延びる連結用管材２によりこのアーチ状管材１を夫々連結することで骨組みを形成し、この骨組みが所定量の積雪に耐え得るように前記アーチ状管材１の径及び並設間隔を設定し、この管材で形成した骨組みで囲繞される貯蔵空間部３に雪や農作物等の貯蔵物を貯蔵し得るように構成し、この貯蔵空間部３内の貯蔵物を保冷する所定量の雪から成る保冷部４をこの貯蔵空間部３若しくはその外部に設け、この保冷部４により保冷される前記貯蔵物を貯蔵する貯蔵空間部３と外気とを断熱する断熱層５を、前記保冷部４が内側、断熱層５が外側となるように前記貯蔵空間部３若しくはその外部に設け、前記貯蔵空間部３が所定の冷蔵温度に保たれるようにこの断熱層５の厚さを設定したものである。
【００３１】
前記断熱層５としては、木材チップやモミガラ等の廃材を所定厚積層して形成される断熱層５を採用している。従って、本実施例の保冷貯蔵庫は、雪を冷熱源として用いることで電気エネルギーを用いることなく貯蔵物を保冷することができるのは勿論、廃材で断熱層５を形成することで、建築廃材等を二次利用して資源の再利用を図ることができる。
【００３２】
また、本実施例の貯蔵空間部３は、雪と農作物とを仕切らずに共に貯蔵するように構成し、この雪を保冷部４に設定しているが、図３に図示した別例のように雪を貯蔵する雪貯蔵部３ａと、農作物を貯蔵する農作物貯蔵部３ｂとから成り、前記雪貯蔵部３ｂに貯蔵した雪が前記農作物貯蔵部３ｂに貯蔵した農作物に対する保冷部４となるように設定しても良い。
【００３３】
即ち、前記貯蔵空間部３の一部に仕切り６によって仕切ることで農作物貯蔵部３ｂを形成し、この農作物貯蔵部３ｂの外周を覆うように前記雪貯蔵部３ａを設けた構成としても良い。この場合、雪貯蔵部３ａに貯蔵された雪は、農作物貯蔵部３ｂに貯蔵された農作物に対して保冷部４としての役目を果たすことになり、雪を保冷貯蔵する保冷貯蔵庫と、農作物を保冷貯蔵する保冷貯蔵庫とを別々に形成する必要なく、極めて効率良く双方を保冷貯蔵しておける構成となる。尚、前記貯蔵空間部３に雪のみを貯蔵する構成としても良いのは勿論である。
【００３４】
各部を具体的に説明する。
【００３５】
アーチ状管材１としては、直線状の管材を適宜な曲げ加工によって断面視逆Ｕ字状に加工することで形成したものを採用している。具体的には、この曲げ加工はコンクリート製曲げ型にパイプを固定し、クローラ型重機にて力を加えることにより管材を曲げるものであり、これにより従来径の大きな管材は曲げ加工は厄介でコスト高とならざるを得なかったが、上記方法を用いることで径の大きな管材であっても容易且つコスト安に曲げることができ、強度に秀れた径の大きな管材をコスト安にアーチ状に加工することが可能となり、それだけ施工をコスト安に行えることになる。
【００３６】
このアーチ状管材１は増設若しくは減設自在に配設した構成としている。即ち、このアーチ状管材１の並設数を変えるだけで本保冷貯蔵庫の容量を変化せしめることができる。
【００３７】
アーチ状管材１を連結する連結用管材２は、直線状で前記アーチ状管材１の内側と夫々当接して各アーチ状管材１を連結している。尚、アーチ状管材１や連結用管材２としては市販の亜鉛メッキ単管パイプを採用するのが好ましいが、他の金属製のパイプを採用しても良い。
【００３８】
このアーチ状管材１と連結用管材２とで形成された骨組みの内側である貯蔵空間部３には保冷部４を設けている。この保冷部４は、貯蔵空間部３内に設けられていれば良く、その形状も特定されるものではないが、この貯蔵空間部３に貯蔵される貯蔵物を覆うように設けるのが好ましい。
【００３９】
また、骨組みの外側にはこの骨組みを覆うように前記断熱層５を積層した構成としている。この断熱層５により貯蔵空間部３に雪を貯蔵しつつ、この雪を農作物等の貯蔵物を保冷する保冷部４に設定することができる。
【００４０】
尚、本実施例においては、保冷部４を貯蔵空間部３に設け、断熱層５を貯蔵空間部３の外部に設けた構成としているが、他の構成、例えば、双方を貯蔵空間部３若しくはその外部にまとめて設けた構成としても良い。また、更に、図４に図示した別例のように貯蔵空間部３の外部の断熱層５と骨組みとの間に保冷部４を層状に積層した構成としても良い。
【００４１】
本実施例の施工方法を以下に示す。
【００４２】
地盤７を所定の深さに掘削後、砕石８を敷込みその上に断熱材９（硬質ウレタンフォーム）を敷き詰める。
【００４３】
断熱材９上にアーチ状管材１のガイドレール10となる軽量鉄骨を、所定の開口及び必要となる奥行きとなるようにアンカーピンに溶接して固定する。
【００４４】
ガイドレール10の取り付け完了後、保冷貯蔵庫の床となるコンクリート床面11の打設及び仕上げを行う。この工程の前に必要に応じてコンクリート床面11のひび割れ（クラック）防止のための市販品のワイヤーメッシュ又は鉄筋の配筋を行う。また、保冷貯蔵庫内の融雪水処理のためにコンクリート床面11に排水用の勾配を形成する。
【００４５】
アーチ状管材１の端部を前記ガイドレール10に嵌入し、接点部を現場溶接にて全周を接合する。このアーチ状管材１の取り付け間隔は保冷貯蔵庫の間口又は上部にかかる積載荷重により異なる。
【００４６】
具体的には、本実施例においては、径約４８.６ｍｍ、厚さ約２.４ｍｍの単管パイプを前記アーチ状管材１及び連結用管材２として採用している。尚、この場合、アーチ状管材１の並設間隔を約２５ｃｍに設定した状態で、積雪約２.８ｍ、盛土約２５ｃｍの荷重に耐えられることを応力計算上確認している。また、より大きな荷重に耐えられるようにするには、径４８.６ｍｍ以上のものを採用したり、厚さ２.４ｍｍ以上のものを採用したり、並設間隔を短くすれば良い。
【００４７】
アーチ状管材１の取り付け後、このアーチ状管材１同志を連結する連結用管材２を単管クランプもしくは専用の止め金具等（図示省略）を用いて固定することで骨組みを形成する。妻面についても同様に連結用管材２を固定する。尚、妻面の下部についてはガイドレール10に現場溶接にて接合することで、骨組みが形成されることになる。
【００４８】
また、出入り口側には、扉12を取り付けるための鉄若しくはステンレス製の３方フレームも同時に取り付ける。
【００４９】
骨組みの組み立て完了後、屋根及び外装材となる塩化ビニール樹脂シート13をアーチ全面及び出入り口反対の妻面を取り付ける。塩化ビニール樹脂シート13の止め付け材は市販品の軟質フィルム止め材を使用し、この塩化ビニール樹脂シート13のジョイント部に取り付ける。屋根及び外装材の取り付け作業完了後、素材の保護及び断熱材の滑り止めとしてメッシュ形状のシート14で被覆する。
【００５０】
メッシュ形状のシート14で被覆した後、出入り口側壁には一般建築用外装材15を取り付け、その部位の断熱性能を確保するために保冷貯蔵庫内部より現場発泡ウレタンを５０ｍｍ以上の厚さで施工する。その後、断熱材及び気密に高い性能を有する出入り口扉12を取り付ける。
【００５１】
保冷貯蔵庫組み立て完了後、木材チップ若しくはモミガラを屋根及び外装材の上に厚さ３０ｃｍ以上積み上げることで断熱層５を形成して施工終了となる。断熱層５の厚さを３０ｃｍ以上とするのは、この断熱層５の厚さが３０ｃｍ未満では十分な断熱作用を得ることができないからである。
【００５２】
尚、保冷貯蔵庫内の熱損失及び貯蔵する農作物等に対応するために保冷貯蔵庫内面全面に現場発泡ウレタンを用途に応じて必要な厚さを吹き付けると更に保温性が向上する。
【００５３】
また、アーチ状管材１及び連結用管材２の空洞部に、適宜な充填剤（例えばモルタル）を充填することで部材の強度を高めることができ、並設間隔を更に拡大したり、より大きな外部荷重に耐えられる構成を容易且つコスト安に実現できる。
【００５４】
また、本実施例においては、上述のように構成しているが、例えば上記骨組みを二つ並設し、夫々通気パイプ等で連結することで、一方の保冷貯蔵庫の貯蔵空間部３を雪貯蔵部３ａに設定し、他方の保冷貯蔵庫の貯蔵空間部３を農作物貯蔵部３ｂに設定する等、他の構成にしても良いのは勿論である。更に、例えば雪を貯蔵した本保冷貯蔵庫を家屋と通気パイプで連結し、この家屋に冷気を供給するように構成する等、冷気を種々の用途に用いることもできる。
【００５５】
また、前記アーチ状管材１により盛土も良好に支承できることから景観を損なわないように、本保冷貯蔵庫を地面に埋設する構成としても良い。この場合、この盛土によっても良好に貯蔵空間部３が外気と断熱されることになり、一層良好に貯蔵物を貯蔵できることになる。
【００５６】
本実施例は上述のように構成したから、アーチ状管材１を所定間隔で複数並設状態に配設して骨組みを形成する際、このアーチ状管材１の径及び並設間隔を保冷貯蔵庫を建設する地域の降雪量等を考慮して最適な値に設定することで、効率良く荷重を支承できるアーチ状管材１の強度を更に高めて積雪等の外圧により変形・倒壊等しない強度の骨組みを実現できる。
【００５７】
即ち、安価な管材の組み合わせによって強固な骨組みを形成できるため、仮に降雪量の多い地域に建設する場合であっても、このアーチ状管材１の径及び並設間隔を適宜設定するだけで対応できることになり、従来の鉄骨造や鉄筋コンクリート造の保冷貯蔵庫に比し、コスト安に建設できることになる。
【００５８】
また、アーチ状管材１を複数並設して形成するために周壁が半円筒形状となり、上述のように強度に秀れた構成であると共に、貯蔵空間部３を十分な容量に設定しつつ、この貯蔵空間部３と外気との接触面積を可及的に小さくでき、効率良く貯蔵物を保冷貯蔵できることになる。
【００５９】
しかも、保冷部４と外気とを断熱する断熱層５の厚さを所定の厚さに設定することで、この保冷部４による冷気により貯蔵物を確実に所定の冷蔵温度で保冷貯蔵することができる。
【００６０】
従って、従来は積雪や強風に対する強度を得るため、また、好適な断熱性能を得るために鉄骨造や鉄筋コンクリート造等、通常の倉庫と同様の構造にせざるを得ず、初期建設費用が高額にならざるを得なかったが、本実施例によれば、安価な管材を用いて強固で且つ断熱性に秀れた構成を実現でき、施工をコスト安に行えることになる。
【００６１】
また、断熱層５を木材チップやモミガラ等の廃材を所定厚積層することで形成したから、一層コスト安となると共に、資源の再利用を促進することができ、一層環境性に秀れたものとなる。
【００６２】
また、アーチ状管材１の並設数を変更するだけで増設・増築が可能であるから、貯蔵量の変化に対応して適宜大きさを変更することができ、極めて汎用性に秀れたものとなる。
【００６３】
従って、本実施例は、従来の鉄骨造・鉄筋コンクリート造のものに比しコスト安に建設でき、しかも、個人，農業法人，企業等、使用者の規模に応じた最適な容量に容易且つ安価に設定できるコスト性及び環境性に秀れた極めて実用的な保冷貯蔵庫となる。
【００６４】
本発明は、本実施例に限られるものではなく、各構成要件の具体的構成は適宜設計し得るものである。
【図面の簡単な説明】
【００６５】
【図１】本実施例の一部を切り欠いた概略説明斜視図である。
【図２】本実施例の概略説明断面図である。
【図３】別例の概略説明断面図である。
【図４】別例の概略説明断面図である。
【符号の説明】
【００６６】
１  アーチ状管材
２  連結用管材
３  貯蔵空間部
３ａ  雪貯蔵部
３ｂ  農作物貯蔵部
４  保冷部
５  断熱層
【図１】
2005233530.tif 000003
【図２】
2005233530.tif 000004
【図３】
2005233530.tif 000005
【図４】
2005233530.tif 000006